(57)【特許請求の範囲】
【請求項１】
回転駆動されるカム環の内面に形成した、互いに軌跡の異なる少なくとも２種類のカム溝と、この少なくとも２種類のカム溝にそれぞれカムフォロアを嵌合させた第１と第２のレンズ枠と、該第１と第２のレンズ枠を直進案内する直進案内環とを有し、
第１の軌跡のカム溝は、カム環の回転に応じてカムフォロアを案内して上記第１のレンズ枠をテレ位置とワイド位置の間で光軸方向に移動させるズーム撮影領域と、カム環の端面に連通するカムフォロア挿脱口からズーム撮影領域までカムフォロアを導く導入部と、この導入部とはズーム撮影領域を挟んで位置され、ズームレンズ鏡筒の使用状態ではカムフォロアが通らないカム溝終端部とを有し、第２の軌跡のカム溝は、カム環の回転に応じてカムフォロアを案内して上記第２のレンズ枠をテレ位置とワイド位置の間で光軸方向に移動させるズーム撮影領域と、カム環の端面に連通するカムフォロア挿脱口からズーム撮影領域までカムフォロアを導く導入部とを有し、
第１の軌跡のカム溝のカム溝終端部と、第２の軌跡のカム溝のカムフォロア挿脱口とは周方向の同一位置にあり、
組み立ての際には、第１のレンズ枠のカムフォロアを第１の軌跡のカム溝のカムフォロア挿脱口から上記導入部に進入させ、該カムフォロアがカム溝終端部まで移動されるように上記直進案内環とカム環とを相対回転させた後、第２のレンズ枠のカムフォロアを第２の軌跡のカム溝のカムフォロア挿脱口から上記導入部内へ進入させることを特徴とするズームレンズ鏡筒。
【請求項２】
請求項１記載のズームレンズ鏡筒において、
上記直進案内環は上記カム環の内側に位置し、光軸と平行な直進案内貫通溝を有し、
上記第１と第２のレンズ枠はそれぞれ、該直進案内貫通溝に互いの光軸方向位置を異ならせた共用状態で嵌合する直進案内突起を有し、
この直進案内突起は上記カムフォロアと周方向の同一位置に設けられており、該カムフォロアは上記直進案内貫通溝を貫通して上記第１と第２の軌跡のカム溝に嵌合しているズームレンズ鏡筒。
【請求項３】
請求項１または２記載のズームレンズ鏡筒において、
上記第２の軌跡のカム溝は、上記ズーム撮影領域より先のカム溝終端部に撮影を行わない収納位置用の領域を有し、
上記第１の軌跡のカム溝は、上記導入部とズーム撮影領域の間に、この第２の軌跡のカム溝の収納位置用の領域と周方向の同一位置で、収納位置用の領域を有しているズームレンズ鏡筒。
【請求項４】
請求項１から３いずれか１項記載のズームレンズ鏡筒において、上記第２の軌跡のカム溝の導入部の途中には、ズーム撮影領域よりも径方向に浅いカムフォロア抜止領域が形成され、
該第２のカム溝に第２のレンズ枠のカムフォロアが嵌合した状態では、このカムフォロア抜止領域によって、カムフォロア挿脱口側への該カムフォロアの移動が規制されるズームレンズ鏡筒。
【請求項５】
回転駆動されるカム環の内面に形成した、互いに軌跡の異なる少なくとも２種類のカム溝と、この少なくとも２種類のカム溝にそれぞれカムフォロアを嵌合させた第１と第２のレンズ枠と、上記カム環の内側に位置する直進案内環に形成され、該第１と第２のレンズ枠から径方向外方に突出された直進案内突起が移動可能に嵌まる光軸と平行な直進案内溝とを有し、
第１の軌跡のカム溝は、カム環の回転に応じてカムフォロアを案内して上記第１のレンズ枠をテレ位置とワイド位置の間で光軸方向に移動させるズーム撮影領域と、カム環の端面に連通するカムフォロア挿脱口からズーム撮影領域までカムフォロアを導く導入部と、この導入部とはズーム撮影領域を挟んで位置され、ズームレンズ鏡筒の使用状態ではカムフォロアが通らないカム溝終端部とを有し、第２の軌跡のカム溝は、カム環の回転に応じてカムフォロアを案内して上記第２のレンズ枠をテレ位置とワイド位置の間で光軸方向に移動させるズーム撮影領域と、カム環の端面に連通するカムフォロア挿脱口からズーム撮影領域までカムフォロアを導く導入部を有し、
第１のレンズ枠のカムフォロアが第１の軌跡のカム溝のカム溝終端部に位置するときに、周方向において第２の軌跡のカム溝のカムフォロア挿脱口と直進案内環の直進案内溝がそれぞれ、第２のレンズ枠のカムフォロアと直進案内突起に対応して位置されることを特徴とするズームレンズ鏡筒。
【請求項６】
請求項５記載のズームレンズ鏡筒において、上記第１の軌跡のカム溝のカム溝終端部と、上記第２の軌跡のカム溝のカムフォロア挿脱口は、周方向の同一位置にあるズームレンズ鏡筒。
【請求項７】
請求項５または６記載のズームレンズ鏡筒において、
上記直進案内溝は、直進案内環を径方向に貫通する直進案内貫通溝であり、
上記第１と第２のレンズ枠の直進案内突起は、該直進案内貫通溝に互いの光軸方向位置を異ならせた共用状態で嵌合し、
この直進案内突起は上記カムフォロアと周方向の同一位置に設けられており、該カムフォロアは上記直進案内貫通溝を貫通して上記第１と第２の軌跡のカム溝に嵌合しているズームレンズ鏡筒。
【請求項８】
請求項５から７いずれか１項記載のズームレンズ鏡筒において
上記第２の軌跡のカム溝は、上記ズーム撮影領域より先のカム溝終端部に撮影を行わない収納位置用の領域を有し、
上記第１の軌跡のカム溝は、上記導入部とズーム撮影領域の間に、この第２の軌跡のカム溝の収納位置用の領域と周方向の同一位置で、収納位置用の領域を有しているズームレンズ鏡筒。
【請求項９】
請求項５から８いずれか１項記載のズームレンズ鏡筒において、上記第２の軌跡のカム溝の導入部の途中には、ズーム撮影領域よりも径方向に浅いカムフォロア抜止領域が形成され、
該第２のカム溝に第２のレンズ枠のカムフォロアが嵌合した状態では、このカムフォロア抜止領域によって、カムフォロア挿脱口側への該カムフォロアの移動が規制されるズームレンズ鏡筒。
【請求項１０】
回転駆動されるカム環の内面に形成した、互いに軌跡の異なる少なくとも２種類のカム溝と、この少なくとも２種類のカム溝にそれぞれカムフォロアを嵌合させた第１と第２のレンズ枠と、該第１と第２のレンズ枠を直進案内する直進案内環とを有し、
第１と第２の軌跡のカム溝はそれぞれ、カム環の回転に応じてカムフォロアを案内して上記第１と第２のレンズ枠をテレ位置とワイド位置の間で光軸方向に移動させるズーム撮影領域と、カム環の端面に連通するカムフォロア挿脱口からズーム撮影領域までカムフォロアを導く導入部とを有し、
第１の軌跡のカム溝のカムフォロア挿脱口とズーム撮影領域とは、光軸方向において、上記第２の軌跡のカム溝のズーム撮影領域を挟んで位置されており、
この第１の軌跡のカム溝の導入部は、周方向において第２の軌跡のカム溝と重ならない位置で、光軸方向へ向けて該第２の軌跡のカム溝を跨いで形成されていることを特徴とするズームレンズ鏡筒。
【請求項１１】
請求項１０記載のズームレンズ鏡筒において、
上記第１の軌跡のカム溝は、ズーム撮影領域の先に、ズームレンズ鏡筒の使用状態ではカムフォロアが通らないカム溝終端部を有し、
この第１の軌跡のカム溝のカム溝終端部と、第２の軌跡のカム溝のカムフォロア挿脱口とは周方向の同一位置にあり、
組み立ての際には、第１のレンズ枠のカムフォロアを第１の軌跡のカム溝のカムフォロア挿脱口から上記導入部に進入させ、該カムフォロアが該第１の軌跡のカム溝のカム溝終端部まで移動されるように上記直進案内環とカム環とを相対回転させた後、第２のレンズ枠のカムフォロアを第２の軌跡のカム溝のカムフォロア挿脱口から上記導入部内へ進入させるズームレンズ鏡筒。
【請求項１２】
請求項１１記載のズームレンズ鏡筒において、
上記直進案内環は上記カム環の内側に位置し、光軸と平行な直進案内貫通溝を有し、
上記第１と第２のレンズ枠はそれぞれ、該直進案内貫通溝に互いの光軸方向位置を異ならせた共用状態で嵌合する直進案内突起を有し、
この直進案内突起は上記カムフォロアと周方向の同一位置に設けられており、該カムフォロアは上記直進案内貫通溝を貫通して上記第１と第２の軌跡のカム溝に嵌合しているズームレンズ鏡筒。
【請求項１３】
請求項１０から１２いずれか１項記載のズームレンズ鏡筒において、
上記第２の軌跡のカム溝は、上記ズーム撮影領域より先のカム溝終端部に撮影を行わない収納位置用の領域を有し、
上記第１の軌跡のカム溝は、上記導入部とズーム撮影領域の間に、この第２の軌跡のカム溝の収納位置用の領域と周方向の同一位置で、収納位置用の領域を有しているズームレンズ鏡筒。
【請求項１４】
請求項１０から１３いずれか１項記載のズームレンズ鏡筒において、
上記第２の軌跡のカム溝は、上記ズーム撮影領域より先のカム溝終端部に撮影を行わない収納位置用の領域を有し、
上記第１の軌跡のカム溝は、上記導入部とズーム撮影領域の間に、この第２の軌跡のカム溝の収納位置用の領域と周方向の同一位置で、収納位置用の領域を有しているズームレンズ鏡筒。
【発明の詳細な説明】
【０００１】
【技術分野】
本発明は、ズームレンズ鏡筒に関しており、特に撮影光学系を構成するレンズ群を光軸方向に移動させるためにカム溝を用いるズームレンズ鏡筒に関する。
【０００２】
【従来技術及びその問題点】
ズームレンズ鏡筒において、カム溝を有するカム環の回転運動によって、直進案内されているレンズ群を所定の軌跡で光軸方向に移動させる機構が知られている。こうしたカム溝による案内構造では一般に、カム環と相対回転のみ可能に結合された直進案内環に形成した直進案内溝によってレンズ群を有するレンズ枠を直進案内しており、カム環に対するレンズ枠の組込時には、該レンズ枠に設けたカムフォロアと直進案内突起に対して、カム溝の開口（カムフォロアの挿脱口）と直進案内溝が一致するような回転位相に直進案内環とカム環を合わせてからレンズ枠を組み込む。よって、カム環及び直進案内環が複数のレンズ枠を支持する場合には、各レンズ枠ごとに、組込前の準備段階としてカム環と直進案内環の回転位相を調整する手間がかかり、組立性が悪かった。
【０００３】
【発明の目的】
本発明は以上の問題点に鑑みてなされたものであり、カム環へのレンズ枠の組み付けが容易なズームレンズ鏡筒を得ることを目的とする。
【０００４】
【発明の概要】
本発明のズームレンズ鏡筒は、回転駆動されるカム環の内面に形成した、互いに軌跡の異なる少なくとも２種類のカム溝と、この少なくとも２種類のカム溝にそれぞれカムフォロアを嵌合させた第１と第２のレンズ枠と、該第１と第２のレンズ枠を直進案内する直進案内環とを有し、第１の軌跡のカム溝は、カム環の回転に応じてカムフォロアを案内して第１のレンズ枠をテレ位置とワイド位置の間で光軸方向に移動させるズーム撮影領域と、カム環の端面に連通するカムフォロア挿脱口からズーム撮影領域までカムフォロアを導く導入部と、この導入部とはズーム撮影領域を挟んで位置され、ズームレンズ鏡筒の使用状態ではカムフォロアが通らないカム溝終端部とを有し、第２の軌跡のカム溝は、カム環の回転に応じてカムフォロアを案内して第２のレンズ枠をテレ位置とワイド位置の間で光軸方向に移動させるズーム撮影領域と、カム環の端面に連通するカムフォロア挿脱口からズーム撮影領域までカムフォロアを導く導入部を有し、第１の軌跡のカム溝のカム溝終端部と、第２の軌跡のカム溝のカムフォロア挿脱口とは周方向の同一位置にあり、組み立ての際には、第１のレンズ枠のカムフォロアを第１の軌跡のカム溝のカムフォロア挿脱口から導入部に進入させ、該カムフォロアがカム溝終端部まで移動されるように直進案内環とカム環とを相対回転させた後、第２のレンズ枠のカムフォロアを第２の軌跡のカム溝のカムフォロア挿脱口から導入部内へ進入させることを特徴としている。この構成によれば、第１の軌跡のカム溝の終端部まで第１のレンズ枠のカムフォロアを案内した状態で第２のレンズ枠が組込可能となるので、レンズ枠の組み付けが容易に行える。
【０００５】
このズームレンズ鏡筒では、直進案内環はカム環の内側に位置し、光軸と平行な直進案内貫通溝を有し、第１と第２のレンズ枠はそれぞれ、該直進案内貫通溝に互いの光軸方向位置を異ならせた共用状態で嵌合する直進案内突起を有し、この直進案内突起はカムフォロアと周方向の同一位置に設けられており、該カムフォロアは直進案内貫通溝を貫通して第１と第２の軌跡のカム溝に嵌合していることが望ましい。この構成によれば、直進案内環における直進案内溝の数を少なくでき、かつ該直進案内環にカムフォロア専用の貫通逃げ溝を設けなくて済む。よって強度的に優れた構成となる。
【０００６】
本発明のズームレンズ鏡筒はまた、回転駆動されるカム環の内面に形成した、互いに軌跡の異なる少なくとも２種類のカム溝と、この少なくとも２種類のカム溝にそれぞれカムフォロアを嵌合させた第１と第２のレンズ枠と、カム環の内側に位置する直進案内環に形成され、該第１と第２のレンズ枠から径方向外方に突出された直進案内突起が移動可能に嵌まる光軸と平行な直進案内溝とを有し、第１の軌跡のカム溝は、カム環の回転に応じてカムフォロアを案内して第１のレンズ枠をテレ位置とワイド位置の間で光軸方向に移動させるズーム撮影領域と、カム環の端面に連通するカムフォロア挿脱口からズーム撮影領域までカムフォロアを導く導入部と、この導入部とはズーム撮影領域を挟んで位置され、ズームレンズ鏡筒の使用状態ではカムフォロアが通らないカム溝終端部とを有し、第２の軌跡のカム溝は、カム環の回転に応じてカムフォロアを案内して第２のレンズ枠をテレ位置とワイド位置の間で光軸方向に移動させるズーム撮影領域と、カム環の端面に連通するカムフォロア挿脱口からズーム撮影領域までカムフォロアを導く導入部を有し、第１のレンズ枠のカムフォロアが第１の軌跡のカム溝のカム溝終端部に位置するときに、周方向において第２の軌跡のカム溝のカムフォロア挿脱口と直進案内環の直進案内溝がそれぞれ、第２のレンズ枠のカムフォロアと直進案内突起に対応して位置されることを特徴としている。
【０００７】
このズームレンズ鏡筒では、第１の軌跡のカム溝のカム溝終端部と、第２の軌跡のカム溝のカムフォロア挿脱口は、周方向の同一位置にあることが望ましい。また、直進案内溝は、直進案内環を径方向に貫通する直進案内貫通溝であり、第１と第２のレンズ枠の直進案内突起は、該直進案内貫通溝に互いの光軸方向位置を異ならせた共用状態で嵌合し、この直進案内突起はカムフォロアと周方向の同一位置に設けられており、該カムフォロアは直進案内貫通溝を貫通して第１と第２の軌跡のカム溝に嵌合していることが望ましい。
【０００８】
本発明のズームレンズ鏡筒はさらに、回転駆動されるカム環の内面に形成した、互いに軌跡の異なる少なくとも２種類のカム溝と、この少なくとも２種類のカム溝にそれぞれカムフォロアを嵌合させた第１と第２のレンズ枠と、該第１と第２のレンズ枠を直進案内する直進案内環とを有し、第１と第２の軌跡のカム溝はそれぞれ、カム環の回転に応じてカムフォロアを案内して第１と第２のレンズ枠をテレ位置とワイド位置の間で光軸方向に移動させるズーム撮影領域と、カム環の端面に連通するカムフォロア挿脱口からズーム撮影領域までカムフォロアを導く導入部とを有し、第１の軌跡のカム溝のカムフォロア挿脱口とズーム撮影領域とは、光軸方向において、第２の軌跡のカム溝のズーム撮影領域を挟んで位置されており、この第１の軌跡のカム溝の導入部は、周方向において第２の軌跡のカム溝と重ならない位置で、光軸方向へ向けて該第２の軌跡のカム溝を跨いで形成されていることを特徴としている。
【０００９】
このズームレンズ鏡筒では、第１の軌跡のカム溝は、ズーム撮影領域の先に、ズームレンズ鏡筒の使用状態ではカムフォロアが通らないカム溝終端部を有し、この第１の軌跡のカム溝のカム溝終端部と、第２の軌跡のカム溝のカムフォロア挿脱口とは周方向の同一位置にあり、組み立ての際には、第１のレンズ枠のカムフォロアを第１の軌跡のカム溝のカムフォロア挿脱口から導入部に進入させ、該カムフォロアが該第１の軌跡のカム溝のカム溝終端部まで移動されるように直進案内環とカム環とを相対回転させた後、第２のレンズ枠のカムフォロアを第２の軌跡のカム溝のカムフォロア挿脱口から導入部内へ進入させることにより、レンズ枠の組み付けが容易になる。また、直進案内環はカム環の内側に位置し、光軸と平行な直進案内貫通溝を有し、第１と第２のレンズ枠はそれぞれ、該直進案内貫通溝に互いの光軸方向位置を異ならせた共用状態で嵌合する直進案内突起を有し、この直進案内突起はカムフォロアと周方向の同一位置に設けられており、該カムフォロアは直進案内貫通溝を貫通して第１と第２の軌跡のカム溝に嵌合していることが望ましい。
【００１０】
以上の各態様のズームレンズ鏡筒では、第２の軌跡のカム溝は、ズーム撮影領域より先のカム溝終端部に撮影を行わない収納位置用の領域を有し、第１の軌跡のカム溝は、導入部とズーム撮影領域の間に、この第２の軌跡のカム溝の収納位置用の領域と周方向の同一位置で、収納位置用の領域を有していることが好ましい。また以上の各態様のズームレンズ鏡筒では、第２の軌跡のカム溝の導入部の途中には、ズーム撮影領域よりも径方向に浅いカムフォロア抜止領域が形成され、該第２のカム溝に第２のレンズ枠のカムフォロアが嵌合した状態では、このカムフォロア抜止領域によって、カムフォロア挿脱口側への該カムフォロアの移動が規制されることが好ましい。
【００１１】
【発明の実施形態】
本実施形態は、デジタルカメラ用ズームレンズに本発明を適用したものである。最初に全体構造を説明し、次に本発明の特徴部分を説明する。
【００１２】
【本実施形態のレンズ鏡筒全体の説明】
図１、図２を参照して本実施形態のズームレンズ鏡筒の構成を説明する。以下の説明において、部材名称の次の数字の後の括弧付き大文字（Ｆ）は、その部材が固定されていることを示し、同（Ｌ）は光軸方向に直進移動することを示し、同（ＲＬ）は回転しつつ光軸方向に移動することを示す。
【００１３】
この実施形態のレンズ構成は、物体側から順に、第１レンズ群Ｌ１（Ｌ）、第２レンズ群Ｌ２（Ｌ）、及び第３レンズ群Ｌ３（Ｌ）からなり、第１レンズ群Ｌ１と第２レンズ群Ｌ２をその間隔を変化させながら所定の軌跡で光軸方向に移動させることでズーミングが行われる。第３レンズ群Ｌ３は、第１レンズ群Ｌ１、第２レンズ群Ｌ２の位置に拘わらず、フォーカシングレンズとして機能するもので、いわゆるリヤフォーカシングのズームレンズ系である。
【００１４】
カメラボディに固定される（あるいはカメラボディの一部を構成する）ハウジング１０（Ｆ）には、固定環１１（Ｆ）が固定されている。固定環１１は、その外周面に細密雄ねじ１１ａを有し、内周面に、雌ヘリコイド１１ｂと、この雌ヘリコイド１１ｂの一部を切り欠いて形成した光軸と平行な方向の直進案内溝１１ｃを有している。直進案内溝１１ｃは、１２０゜間隔で３本形成されている。
【００１５】
ハウジング１０には、図２に示すように、ＣＣＤ挿入窓１０ａ、フィルタ固定部１０ｂ、フォーカスレンズ群移動ガイド１０ｃが備えられている。ＣＣＤ挿入窓１０ａには、基板１２に固定されたＣＣＤ１２ａが臨み、フィルタ固定部１０ｂには、ローパスフィルタ等のフィルタ１０ｄが固定されている。フォーカスレンズ群移動ガイド１０ｃには、光軸方向に移動可能に第３レンズ群Ｌ３が支持されており、送りねじ１０ｅの回転方向と回転角度（量）によって、第３レンズ群Ｌ３の移動位置が決定される。送りねじ１０ｅの回転角度は、パルスモータ（エンコーダ）によってパルス管理される。
【００１６】
固定環１１の外側には回転環１３（ＲＬ）が位置し、この回転環１３の内周面に形成した雌ねじ１３ａが固定環１１の雄ねじ１１ａに螺合している。この回転環１３は、外周面にギヤ１３ｂ（図１）を有し、このギヤ１３ｂに噛み合うピニオン（図示せず）を介して回転駆動される。回転環１３は、回転駆動されると、雌ねじ１３ａに従い、回転しながら光軸方向に移動する。この回転環１３の先端部の内面には、１２０゜間隔で、回転伝達突起１３ｃが形成されている。また、回転環１３の外周面には、周方向に向けてコード板１４（ＲＬ）（図１）が固定されており、ハウジング１０には、このコード板１４と摺接するブラシ１５（Ｆ）（同）が固定されている。コード板１４とブラシ１５は、雄ねじ１１ａ（雌ねじ１３ａ）に従って光軸方向に進退するコード板１４（回転環１３）の移動位置に拘わらず互いに接触を維持し、回転環１３の回転位置をデジタル情報及び（又は）アナログ情報として検出するように設けられている。回転環１３の雌ねじ１３ａは、回転環１３を固定環１１に回転自在に支持する手段であり、回転環１３は、固定環１１に光軸方向の移動を規制して回転のみ可能に支持してもよい。
【００１７】
固定環１１の内側には、直進案内環１６（Ｌ）と、この直進案内環１６の外周面に光軸方向移動を規制し相対回転を可能にして嵌めたカム環１７（ＲＬ）と、このカム環１７の先端部外周に回転方向には一緒に回転し光軸方向には相対移動可能に嵌めた第２カム環１８（ＲＬ）との結合体が位置している。すなわち、直進案内環１６は、その後端部に外方フランジ１６ａを有し、前端部には直進案内リング（フランジリング）１９（Ｌ）がリテーナリング２０（Ｌ）を介して固定されている。カム環１７は、この外方フランジ１６ａと直進案内リング１９との間に挟着されて、直進案内環１６に対して相対回転は自由に光軸方向には一緒に移動するように支持されている。
【００１８】
カム環１７の先端部に嵌めた第２カム環１８は、カム環１７の外周面に１２０゜間隔で形成したストッパ突起１７ａに摺動自在に係合する直進ガイド部１８ａを有していて、カム環１７に対する相対回動は生ぜず、光軸方向の相対移動のみ可能に支持されている。このストッパ突起１７ａと直進ガイド部１８ａの近傍には、第２カム環１８を前方に移動付勢する圧縮ばね２１が挿入されており、第２カム環１８は常時は直進案内リング１９に当接している。第２カム環１８は、ストッパ突起１７ａと直進ガイド部１８ａの光軸方向のクリアランス分だけ、圧縮ばね２１を撓ませながら後退することが可能である。また、径方向のクリアランスだけ傾くこともできる。
【００１９】
カム環１７の外周面には、固定環１１の雌ヘリコイド１１ｂと螺合する雄ヘリコイド１７ｂが形成されており、この雄ヘリコイド１７ｂの一部を切除して、回転環１３の回転伝達突起１３ｃが摺動可能に嵌まる光軸と平行な回転伝達溝１７ｃが形成されている。一方、直進案内環１６の外方フランジ１６ａには、径方向外方に突出して固定環１１の直進案内溝１１ｃに嵌まる直進案内突起１６ｂが１２０゜間隔で形成されている。直進案内環１６にはまた、直進案内突起１６ｂと周方向位置を同一にして、１２０゜間隔で光軸と平行な方向の貫通した直進案内貫通溝１６ｃが形成されている。
【００２０】
直進案内貫通溝１６ｃは、図４、図５に示すように、直進案内環１６の後端面に開口しており、その外径側は、外方フランジ１６ａと直進案内突起１６ｂによって閉塞されている。外方フランジ１６ａには、この直進案内突起１６ｂと周方向位置を同じくしてその内径側にカムフォロアの挿入溝１６ｈが形成されている。
【００２１】
直進案内環１６、カム環１７及び第２カム環１８の結合体を、固定環１１と回転環１３に係合させる際には、固定環１１の各直進案内溝１１ｃに導入部１１ｄから直進案内環１６の各直進案内突起１６ｂを嵌めるとともに、カム環１７の各回転伝達溝１７ｃに導入部１７ｄから回転環１３の各回転伝達突起１３ｃを嵌め、その状態で固定環１１の雌ヘリコイド１１ｂとカム環１７の雄ヘリコイド１７ｂとを螺合させる。また、固定環１１の雄ねじ１１ａと回転環１３の雌ねじ１３ａを螺合させる。
【００２２】
こうして図２のように組立が完了した状態では、ギヤ１３ｂを介して回転環１３を回転駆動すると、回転環１３は雌ねじ１３ａと雄ねじ１１ａの螺合関係で回転しながら光軸方向に進退し、同時にカム環１７と該カム環１７の外径側に載っている第２カム環１８には、回転伝達突起１３ｃと回転伝達溝１７ｃの摺動関係で回転が伝達され、雄ヘリコイド１７ｂと雌ヘリコイド１１ｂとの螺合関係で光軸方向の移動が与えられる。このとき、直進案内環１６は、直進案内突起１６ｂと直進案内溝１１ｃの摺動関係で回転することなく光軸方向に進退し、直進案内環１６に対して相対回転するカム環１７、第２カム環１８が直進案内環１６と光軸方向に一緒に移動する。
【００２３】
カム環１７の内周面には、図３に展開形状を示す１群用カム溝１７Ｃ１と２群用カム溝１７Ｃ２とが形成されている。この１群用カム溝１７Ｃ１と２群用カム溝１７Ｃ２は、同一形状を１２０゜間隔で３本形成したもので、カム環１７の回転方向に順に、収納位置、テレ端位置、ワイド端位置を有している。収納位置からワイド端位置に至るカム環１７の回転角度はＡである。
【００２４】
第１レンズ群Ｌ１を保持した第１レンズ枠２２（Ｌ）と、第２レンズ群Ｌ２を保持した第２レンズ枠２３（Ｌ）とは、この１群用カム溝１７Ｃ１と２群用カム溝１７Ｃ２、及び直進案内環１６の直進案内貫通溝１６ｃによって案内され、光軸方向に直進移動する。第１レンズ枠２２は、筒状部２２ａから後方に突出する弾性舌片２２ｂを１２０゜間隔で３個備えており、この弾性舌片２２ｂ上に、径方向に突出し直進案内貫通溝１６ｃに摺動自在に嵌まる角突起２２ｃが形成され、この角突起２２ｃ上に径方向に突出するフォロアピン２２ｄが植設固定されている。角突起２２ｃは、直進案内溝１６ｃとの接触部が平行平面である突起であればよい。第１レンズ群Ｌ１を固定したレンズ筒２２ｅは、筒状部２２ａの内周面にねじ２２ｆで結合されており、螺合位置を調節することで、第１レンズ枠２２内での第１レンズ群Ｌ１の光軸方向の位置調節ができる。レンズ筒２２ｅは、第１レンズ枠２２のフランジ２２ｇとの間にウェーブワッシャ２２ｈを挟着しており、ウェーブワッシャ２２ｈの弾性によって、レンズ筒２２ｅ（第１レンズ群Ｌ１）の光軸方向の遊びを除去している。
【００２５】
第２レンズ枠２３は、環状部２３ａから前方に突出する弾性舌片２３ｂを１２０゜間隔で３個備えており、この弾性舌片２３ｂ上に、径方向に突出し直進案内貫通溝１６ｃに摺動自在に嵌まる角突起２３ｃが形成され、この角突起２３ｃ上に径方向に突出するフォロアピン２３ｄが植設固定されている。この角突起２３ｃとフォロアピン２３ｄは、弾性舌片２３ｂの方向が弾性舌片２２ｂの方向とは逆である点を除き、第１レンズ枠２２の角突起２２ｃとフォロアピン２２ｄと同様である。第２レンズ群Ｌ２を固定したレンズ筒２３ｅは、固定ねじ２３ｆを介して第２レンズ枠２３のフランジ２３ｇに固定されている。この第２レンズ枠２３のフランジ２３ｇには、シャッタブロック２４が固定されている。シャッタブロック２４は、シャッタレリーズ時に、ＣＣＤ１２ａに与えられる光束を遮断する機能を持つ。
【００２６】
以上の第１レンズ枠２２と第２レンズ枠２３はそれぞれ、各角突起２２ｃと角突起２３ｃを直進案内環１６の対応する同一の直進案内貫通溝１６ｃに嵌めることで直進案内されている。そして、フォロアピン２２ｄとフォロアピン２３ｄは、直進案内環１６の直進案内貫通溝１６ｃから径方向に突出して、直進案内環１６の外周に相対摺動自在に嵌まっているカム環１７の１群用カム溝１７Ｃ１と２群用カム溝１７Ｃ２にそれぞれ嵌まっている。なお、第１レンズ枠２２と第２レンズ枠２３を直進案内環１６及びカム環１７内に嵌めるときには、直進案内環１６の後端面から、角突起２２ｃと２３ｃを直進案内貫通溝１６ｃに嵌め、フォロアピン２２ｄと２３ｄをカムフォロア挿入溝１６ｈを通過させてから、カム溝１７Ｃ１と１７Ｃ２に嵌める。なお、図３において、カム溝１７Ｃ１、１７Ｃ２の輪郭内にハッチングを付した領域は、組立時に使用する（フォロアピン２２ｄ、２３ｄが通過する）もので、使用状態では使用しない。
【００２７】
以上の案内構造により、回転環１３に回転が与えられると、カム環１７と第２カム環１８は回転しながら、直進案内環１６は回転することなく、直進案内環１６、カム環１７、第２カム環１８の結合体が光軸方向に進退する。その結果、第１レンズ枠２２（第１レンズ群Ｌ１）と第２レンズ枠２３（第２レンズ群Ｌ２）が、１群用カム溝１７Ｃ１と２群用カム溝１７Ｃ２のカムプロフィルに従い、互いの空気間隔を変化させながら光軸方向に直進移動してズーミングがなされる。
【００２８】
次に、直進案内環１６の先端部に対する直進案内リング１９とリテーナリング２０の結合構造を図６と図７について説明する。直進案内環１６には、その先端部に、径方向に突出させて１２０゜間隔で、３個のバヨネット爪１６ｄが形成されており、このバヨネット爪１６ｄの間に小径挿入部１６ｅが位置している。バヨネット爪１６ｄの背面には、小径挿入部１６ｅと同径の小径部１６ｆが形成されており、バヨネット爪１６ｄの背面に位置させて、小径部１６ｆを軸と平行な方向に切り欠いた回転規制凹部１６ｇが形成されている。
【００２９】
一方、直進案内リング１９には、その内周面に、小径挿入部１６ｅからバヨネット爪１６ｄの間に挿入可能で、挿入後小径部１６ｆに対して相対回転可能な回転規制凸部１９ａが１２０゜間隔で形成されている。また、この直進案内リング１９には、外周面に、回転規制凸部１９ａとの周方向位置を定めた直進案内突起１９ｂが１２０゜間隔で形成されている。
【００３０】
リテーナリング２０には、その内周面に、直進案内環１６の小径挿入部１６ｅからバヨネット爪１６ｄの間に挿入可能で、挿入後小径部１６ｆに対し相対回転可能な固定爪２０ａが１２０゜間隔で形成されている。また前端面には、回転操作用のカニメ溝２０ｂが形成されている。
【００３１】
直進案内リング１９を直進案内環１６の先端部に固定する際には、直進案内リング１９をその回転規制凸部１９ａを小径挿入部１６ｅに嵌めて小径部１６ｆ上で回転させ、回転規制凸部１９ａをバヨネット爪１６ｄの背面に移動させて回転規制凹部１６ｇに嵌合させる。この嵌合により、直進案内リング１９の直進案内環１６に対する周方向位置が定まる。次に、リテーナリング２０をその固定爪２０ａを小径挿入部１６ｅに嵌めて小径部１６ｆ上で回転させ、回転規制凸部１９ａを回転規制凹部１６ｇに押し付けて、直進案内リング１９の軸方向の移動を抑える。このロック状態では、固定爪２０ａがバヨネット爪１６ｄと回転規制凸部１９ａの間に入り、直進案内リング１９の抜けを固定爪２０ａとバヨネット爪１６ｄが防止することになる。直進案内環１６とリテーナリング２０の間には、ロック状態でリテーナリング２０の回転を防止する（クリック感を与える）凹凸が設けられている。図６では、直進案内環１６側の凹凸１６ｊのみを示した。
【００３２】
このようにして直進案内環１６の先端に固定された直進案内リング１９の直進案内突起１９ｂは、直進案内環１６の直進案内突起１６ｂに対して予め定めた特定の位置（角度関係）にある。この直進案内突起１９ｂは、外観筒（フード筒）２５（Ｌ）の内周面に１２０゜間隔で形成した光軸と平行な方向の直進ガイド溝２５ａに嵌まり、外観筒２５を回転させることなく光軸方向移動のみ可能に案内している。外観筒２５には、１２０゜間隔で３本のガイドピン２５ｂが植設されており、このガイドピン２５ｂは、第２カム環１８の外周面に１２０゜間隔で形成した同一形状の進退ガイド溝１８ｂに嵌まっている。
【００３３】
進退ガイド溝１８ｂは、図８、図９に示すように、ガイドピン２５ｂを組立時に進入させる組立位置と、カム環１７の収納位置、テレ端位置、ワイド端位置に対応する収納位置、テレ端位置、ワイド端位置を有し、カム環１７と一緒に回転する第２カム環１８の回転位置に応じて、外観筒２５を光軸方向に進退させる。すなわち、外観筒２５を画角の狭いテレ端位置では第２カム環１８（第１レンズ群Ｌ１）に対して前進させ、画角の広いワイド端位置では後退させることで、レンズフードとしての役割を与えたものである。図１０はワイド端位置での外観筒２５の位置、図１１はテレ端位置で外観筒２５の位置を示している。
【００３４】
このように、外観筒２５を案内する第２カム環１８と、第１レンズ群Ｌ１、第２レンズ群Ｌ２を案内するカム環１７との間には、第２カム環１８を前方に移動付勢する圧縮ばね２１が挿入されているため、使用中に外観筒２５に押し込み方向の外力が加わった場合には、その外力の少なくとも一部を圧縮ばね２１によって吸収することができる。つまり、外力は、圧縮ばね２１を圧縮した後、第２カム環１８からカム環１７に伝達されるため、カム環１７には大きな外力が加わることがない。よって、第１レンズ群Ｌ１、第２レンズ群Ｌ２の位置精度に対する影響を少なくすることができる。外観筒２５のより詳細な動き及び作用については、外観筒２２の先端に固定されるバリヤブロック２７を説明した後、さらに図１２を用いて説明する。図１における符号２９（Ｆ）は、外観筒２５がその内側を進退する、カメラボディ側と一体のカバー筒である。
【００３５】
外観筒２５には、その前端部内径に、バリヤ駆動環２６が回転自在に支持されている。このバリヤ駆動環２６は、その回転運動によりバリヤブロック２７のバリヤを開閉するものである。バリヤブロック２７は、図１、及び図１３ないし図１５に示すように、撮影開口２７ａを有する化粧板２７ｂ、この化粧板２７ｂに撮影開口２７ａを開閉するように支持した二対のバリヤ２７ｃ、２７ｄ、これらバリヤ２７ｃ、２７ｄを撮影開口２７ａを閉じる方向に付勢する一対のトーションばね２７ｅ、化粧板２７ｂとの間にこれら要素を挟着保持するバリヤ押え板２７ｆとを有していて、予め別ユニットとして組み立てられる。バリヤ２７ｃ、２７ｄは、化粧板２７ｂに設けた共通軸２７ｇに同軸に回動自在であり、内側のバリヤ２７ｄは、化粧板２７ｂのばね掛け軸２７ｎに掛けとめたトーションばね２７ｅにより閉方向に回動付勢されている。バリヤ２７ｄには、トーションばね２７ｅの力に抗してバリヤ２７ｄを開くための開閉突起２７ｈが突出形成されており、バリヤ２７ｃには、バリヤ２７ｄが開方向に動くとき、バリヤ２７ｄの縁部に係合してバリヤ２７ｄとともにバリヤ２７ｃを開方向に動かす連動突起２７ｉが形成されている。また、バリヤ２７ｃと２７ｄには、その対向面に、バリヤ２７ｄが閉方向に動くとき、バリヤ２７ｄを一緒にバリヤ２７ｃを閉方向に動かす連動突起２７ｊと２７ｋ（図１５）が形成されている。バリヤ押え板２７ｆには開閉突起２７ｈをバリヤ駆動環２６側に突出させる露出穴２７ｍが形成されている。
【００３６】
バリヤ駆動環２６は、図１６ないし図１８に示すように、バリヤ駆動環２６自身に形成したばね掛け突起２６ｂと、外観筒２５に形成したばね掛け突起２５ｃとの間に張設した、トーションばね２７ｅより強い引張ばね２８によって、バリア開方向に回動付勢されており、このバリヤ駆動環２６に、バリヤ２７ｄの開閉突起２７ｈと係合してバリヤ２７ｃ、２７ｄを開く開閉ダボ２６ｃが形成されている。バリヤ駆動環２６は、引張ばね２８の力による回動端に位置するときには、その開閉ダボ２６ｃが開閉突起２７ｈを押圧して、トーションばね２７ｅの力に抗してバリヤ２７ｄを開き、連動突起２７ｉを介して２７ｃも開く（図１５）。
【００３７】
一方、バリヤ駆動環２６は、図１６に示すように、その周方向の一部に、第２カム環１８側に突出する回転伝達突起２６ａを有しており、この回転伝達突起２６ａは、第２カム環１８に形成した回転付与凹部１８ｃ（図８、図９も参照）と係脱する。バリヤ駆動環２６は、外観筒２５に光軸方向の定位置で回転可能に支持されているから、外観筒２５が第２カム環１８の進退ガイド溝１８ｂに従って光軸方向に直進進退すると、図８、図９に明らかなように、回転する第２カム環１８に対して接離する。回転伝達突起２６ａと回転付与凹部１８ｃは、撮影位置（テレ端位置とワイド端位置の間）では図８のように互いに接触（係合）することがなく、テレ端位置から収納位置に移動する間に、図９のように互いに係合して回転付与凹部１８ｃによりバリヤ駆動環２６に強制回転力が与えられるように形成されている。バリヤ駆動環２６が引張ばね２８に抗する移動端に回動すると、バリヤ駆動環２６の開閉ダボ２６ｃがバリヤ２７ｄの開閉突起２７ｈから離れ、その結果トーションばね２７ｅの力によりバリヤ２７ｄが開き、連動突起２７ｋ、２７ｊを介してバリヤ２７ｃが閉じて撮影開口２７ａが閉じる（図１４）。逆に、収納位置からテレ端位置に移行する間には、回転伝達突起２６ａが回転付与凹部１８ｃから徐々に離れ、引張ばね２８によりバリヤ駆動環２６がバリヤ開放方向に回動する結果、開閉ダボ２６ｃが開閉突起２７ｈを押し連動突起２７ｉを介して、バリヤ２７ｃ、２７ｄが開く。つまり、バリヤ２７ｃ、２７ｄの開閉は、バリヤ駆動環２６の回転によって行われる。なお、バリヤ駆動環２６に形成された回転伝達突起２６ａは唯一であるのに対し、第２カム環１８に形成した回転付与凹部１８ｃは、１２０°間隔で３個形成されていて、組立時にいずれかを選択できるようになっている。
【００３８】
上述のように、光軸方向に直進移動するように案内されている外観筒２５は、第２カム環１８の回動によって前後移動する。一方、第１レンズ群Ｌ１と第２レンズ群Ｌ２はカム環１７の回動によって前後移動する。図１２は、収納位置、テレ端位置からワイド端位置における、ＣＣＤ１２ａの像面、第１レンズ群Ｌ１と第２レンズ群Ｌ２（の主点位置）、及び外観筒２５の先端のバリヤブロック２７（の先端部の化粧板２７ｂの撮影開口２７ａ）の位置変化を示したものである。カム環１７のカム溝１７Ｃ１と１７Ｃ２、および第２カム環１８の進退カム溝１８ｂは、このような移動軌跡が得られるように定められている。撮影開口２７ａは、正面略矩形をなしていて、その短辺方向の画角、長辺方向の画角、対角方向の画角の順に大きい。図１０、図１１では、撮影開口２７ａの短辺方向から入射する光束Ｓ、長辺方向から入射する光束Ｍ、及び対角方向から入射する光束Ｌの角度を示している。
【００３９】
なお、バリヤ駆動環２６にはその内径部に、バリヤ駆動環２６から第１レンズ枠２２の先端部外周に延びる遮光筒２６ｄが固定（接着）されている。遮光筒２６ｄは光軸を中心とする回転対称形状をしており、バリヤ駆動環２６の往復回動によって往復回動してもその遮光機能は変化しない。
【００４０】
また、以上のズームレンズ鏡筒を構成する部品は、各ばね、送りねじ１０ｅ、固定ねじ２３ｆ、フォロアピン２２ｄ、２３ｄ、シャッタブロック２４及びガイドピン２５ｂを除き、すべて合成樹脂材料の成形品からなっている。
【００４１】
また、以上の実施形態では、第３レンズ群Ｌ３をフォーカスレンズ群としているが、別のレンズ群、例えば第１レンズ群Ｌ１または第２レンズ群Ｌ２をフォーカスレンズ群としてもよい。第２レンズ群Ｌ２をフォーカスレンズ群とする場合、シャッタブロック２４に、フォーカシング機能を与えることができ、このようなシャッタブロックは周知である。
【００４２】
【本発明の特徴部分の説明】
上述のように、ズームレンズ鏡筒の使用状態において第１レンズ群Ｌ１と第２レンズ群Ｌ２は、カム環１７の内周面に有底のカム溝として形成した１群用カム溝１７Ｃ１と２群用カム溝１７Ｃ２の形状に従って、テレ（ＴＥＬＥ）位置とワイド（ＷＩＤＥ）位置の間で光軸方向へ所定の軌跡で移動する。この１群用カム溝１７Ｃ１と２群用カム溝１７Ｃ２の形状を、図１９を参照して説明する。図１９は、本発明の特徴部分を説明するための符号を図３に加えたものであり、同図では、図中右方が光軸方向の前方で、左方が後方である。なお、１群用カム溝１７Ｃ１と２群用カム溝１７Ｃ２はそれぞれ３本形成されているが、以下ではそのうちの一組の１群用カム溝１７Ｃ１と２群用カム溝１７Ｃ２を代表して説明する。
【００４３】
１群用カム溝１７Ｃ１と２群用カム溝１７Ｃ２は互いに、テレ位置とワイド位置の間のズーム撮影領域と、収納位置、すなわちズームレンズ鏡筒の使用状態において使用される使用領域１７Ｃ１ａと１７Ｃ２ａとが周方向における同一の位置に形成されている。
【００４４】
また、各カム溝で図１９においてハッチングを付した領域は組立時に使用するもので、使用状態では使用しない。この組立用のカム溝領域は、１群用カム溝１７Ｃ１では、カム環１７の後端部に連通するフォロアピン挿脱口１７Ｃ１ｘからテレ位置の手前までの導入部１７Ｃ１ｂと、ワイド位置より先のカム溝終端部１７Ｃ２ｃとで構成されている。また２群用カム溝１７Ｃ２の組立用領域は、カム環１７の後端部に連通するフォロアピン挿脱口１７Ｃ２ｘからテレ位置の手前までの導入部１７Ｃ２ｂにより構成されている。１群用カム溝１７Ｃ１のカム溝終端部１７Ｃ１ｃは、２群用カム溝１７Ｃ２のフォロアピン挿脱口１７Ｃ２ｘと周方向位置が同一である。各カム溝１７Ｃ１と１７Ｃ２のフォロアピン挿脱口１７Ｃ１ｘと１７Ｃ２ｘは、互いの周方向位置が異なっている。
【００４５】
２群用カム溝１７Ｃ２は、フォロアピン挿脱口１７Ｃ２ｘからワイド位置までの導入部１７Ｃ２ｂが短く、使用領域１７Ｃ２ａ（ワイド位置）は比較的カム環１７の後端部に近い位置から始まり、テレ位置付近まで前方に向かいつつ周方向に進む傾斜形状をなしている。さらに２群用カム溝１７Ｃ２の使用領域１７Ｃ２ａは、テレ位置を過ぎるとカム環１７の後方に向かいつつ周方向に若干進んで終端の収納位置へ至る。
【００４６】
１群用カム溝１７Ｃ１は、この２群用カム溝１７Ｃ２の使用領域１７Ｃ２ａを光軸方向で挟むように形成されている。１群用カム溝１７Ｃ１の導入部１７Ｃ１ｂは、カム環１７の後端側から、２群用カム溝１７Ｃ２のズーム撮影領域に沿って概ね線形の形状で前方に傾斜しつつ周方向へ進む。２群用カム溝１７Ｃ２の使用領域１７Ｃ２ａよりも光軸後方に位置していた導入部１７Ｃ１ｂは、周方向で２群用カム溝１７Ｃ２の終端部（収納位置）付近まで進むと、該２群用カム溝１７Ｃ２の終端部を囲むようにコ字状の屈曲部１７Ｃ１ｄが形成され、１群用カム溝１７Ｃ１は２群用カム溝１７Ｃ２と交差することなく該２群用カム溝１７Ｃ２よりも光軸前方側の位置に移行する。つまり、導入部１７Ｃ１ｂは、２群用カム溝１７Ｃ２に対して周方向に重ならない位置で、光軸方向へ向けて該２群用カム溝１７Ｃ２を跨いで形成されている。１群用カム溝１７Ｃ１では、この屈曲部１７Ｃ１ｄに続いて収納位置が形成され、さらにズーム撮影領域が形成されている。この収納位置とズーム撮影領域からなる１群用カム溝１７Ｃ１の使用領域１７Ｃ１ａは、２群用カム溝１７Ｃ２の使用領域１７Ｃ２ａよりも前方の位置で、所定の軌跡で周方向へ進んでいる。１群用カム溝１７Ｃ１のワイド位置より先には、ズームレンズ鏡筒の使用状態では用いないカム溝終端部１７Ｃ１ｃが形成されている。このカム溝終端部１７Ｃ１ｃが、２群用カム溝１７Ｃ２のフォロアピン挿脱口１７Ｃ２ｘと周方向位置が同一であることは先に述べた通りである。
【００４７】
つまり、１群用カム溝１７Ｃ１は、ズーム撮影領域を含む使用領域１７Ｃ１ａが２群用カム溝１７Ｃ２の使用領域１７Ｃ２ａよりも光軸方向の前方に形成される一方、フォロアピン挿脱口１７Ｃ１ｘを含む導入部１７Ｃ１ｂの大部分は、光軸方向において２群用カム溝１７Ｃ２の使用領域１７Ｃ２ｂよりも後方に形成されている。この２群用カム溝１７Ｃ２の使用領域１７Ｃ２ｂの前後に位置する使用領域１７Ｃ１ａと導入部１７Ｃ１ｂは互いに、該導入部１７Ｃ１ｂの一部として形成された屈曲部１７Ｃ１ｄによって、２群用カム溝１７Ｃ２とは交差しないように接続されている。
【００４８】
さらに、２群用カム溝１７Ｃ２には、フォロアピン挿脱口１７Ｃ２ｘからワイド位置の手前までにおける導入部１７Ｃ２ｂの途中に、ズーム撮影領域よりも径方向に浅い抜止領域１７Ｃ２ｃが形成されている。少なくとも２群用カム溝１７Ｃ２のズーム撮影領域にフォロアピン２３ｄが嵌合しているとき、フォロアピン２３ｄは、該カム溝１７Ｃ２に対して遊びなく嵌合するように径方向外方に向けて一定の力が加わっている。このような力は、フォロアピン２３ｄを支持する弾性舌片２３ｂが、フォロアピン２３ｄがズーム撮影領域に嵌合しているときは径方向内方に弾性変形されるようにすることで付与できる。そして、フォロアピン２３ｄがズーム撮影領域よりも浅い抜止領域１７Ｃ２ｃを通るときには、この弾性舌片２３ｄの径方向内方への弾性変形量が多くなるため、フォロアピン２３ｄと２群用カム溝１７Ｃ２の間の摺動抵抗が大きくなる。したがって、２群用カム溝１７Ｃ２内においてカム溝抜止領域１７Ｃ２ｃよりも内方（終端側）にフォロアピン２３ｄが位置するときには、フォロアピン挿脱口１７Ｃ２ｘ側へフォロアピン２３ｄが不用意に移動しないように、抜止領域１７Ｃ２ｃによって規制される。
【００４９】
第１レンズ枠２２と第２レンズ枠２３をカム環１７に対して組み付ける作業は、以下のように行う。まず、上述の直進案内リング１９とリテーナリング２０を用いて、直進案内環１６とカム環１７を相対回転は可能で、光軸方向には相対移動しないように結合させておく。そして、１群用カム溝１７Ｃ１のフォロアピン挿脱口１７Ｃ１ｘと直進案内貫通溝１６ｃとが重なるように直進案内環１６とカム環１７の回転位相を合わせ、この重なって位置するフォロアピン挿脱口１７Ｃ１ｘ及び直進案内貫通溝１６ｃに対してフォロアピン２２ｄ及び角突起２２ｃ（直進案内突起）が一致するように位置を合わせてから、第１レンズ枠２２を直進案内環１６とカム環１７の後端側から押し込む。すると、１群用カム溝１７Ｃ１にに対してフォロアピン２２ｄが進入して、導入部１７Ｃ１ｂにおけるＰ１位置（図１９）まで移動する。同時に、直進案内貫通溝１６ｃには、角突起２２ｃが嵌合して第１レンズ枠２２は直進案内される。続いて、フォロアピン２２ｄが屈曲部１７Ｃ１ｄのＰ２位置に達するまで直進案内環１６とカム環１７とを相対的に回転させる。第１レンズ枠２２は直進案内貫通溝１６ｃに直進案内されているため、直進案内環１６とカム環１７との回転位相が変化すると、第１レンズ枠２２は光軸方向位置を変化させながら１群用カム溝１７Ｃ１に沿って移動する。フォロアピン２２ｄがＰ２位置まで達すると、再び第１レンズ枠２２を前方へ押し込み、フォロアピン２２ｄをＰ３位置まで移動させる。続いて、フォロアピン２２ｄがカム溝終端部１７Ｃ１ｃのＰ４位置まで移動されるように、直進案内環１６とカム環１７とを相対的に回転させる。このときの直進案内環１６とカム環１７の相対回転方向は、フォロアピン２２ｄをＰ１位置からＰ２位置へ移動させるときとは反対方向になる。
【００５０】
続いて、第２レンズ枠２３のフォロアピン２３ｄを２群用カム溝１７Ｃ２のフォロアピン挿脱口１７Ｃ２ｘから進入させる。第１レンズ枠２２の角突起２２ｃと第２レンズ枠２３の角突起２３ｃはそれぞれ、共通の直進案内貫通溝１６ｃによって直進案内されるが、第１レンズ枠２２のフォロアピン２２ｄがカム溝１７Ｃ１のカム溝終端部１７Ｃ１ｃ（Ｐ４位置）に位置するときには、直進案内環１６とカム環１７の回転位相は、直進案内貫通溝１６ｃが２群用カム溝１７Ｃ２のフォロアピン挿脱口１７Ｃ２ｘと重なるようになっている。換言すれば、１群用カム溝１７Ｃ１のカム溝終端部１７Ｃ１ｃと２群用カム溝１７Ｃ２のフォロアピン挿脱口１７Ｃ２ｘとは周方向の同一位置にある。よって、第１レンズ枠２２のフォロアピン２２ｄをカム溝１７Ｃ１の終端部まで移動させた状態において、そのまま第２レンズ枠２３のフォロアピン２３ｄをカム溝１７Ｃ２内に嵌めることができる。フォロアピン２３ｄがＰ５位置に達するまで第２レンズ枠２３を前方へ押し込み、続いて、フォロアピン２３ｄが２群用カム溝１７Ｃ２の終端部まで移動されるようにカム環１７と直進案内環１６を相対的に回転させる。このとき、第２レンズ枠２３は角突起２３ｃで直進案内環１６の直進案内貫通溝１６ｃに直進案内されるため、直進案内環１６とカム環１７の回転位相が変化すると、第２レンズ枠２３は光軸方向位置を変化させながら２群用カム溝１７Ｃ２に沿って移動する。フォロアピン２３ｄが、２群用カム溝１７Ｃ２の終端部に達するまで直進案内環１６とカム環１７が相対回転されると、両レンズ枠のフォロアピン２２ｄと２３ｄがそれぞれのカム溝内での収納位置に位置され、第１レンズ枠２２と第２レンズ枠２３が鏡筒収納用の光軸方向位置で保持される。
【００５１】
分解作業は以上と逆の手順で行い、まず２群用カム溝１７Ｃ２内におけるＰ５位置までフォロアピン２３ｄを移動させてから第２レンズ枠２３を後方へ抜き取り、続いて、フォロアピン２２ｄを１群用カム溝１７Ｃ１内におけるＰ１位置までフォロアピン２２ｄを移動させてから第１レンズ枠２２を後方へ抜き取る。
【００５２】
上述のように、２群用カム溝１７Ｃ２では、フォロアピン挿脱口１７Ｃ２ｘの直後（光軸前方側）に抜止領域１７Ｃ２ｃが形成されているため、嵌合後においてフォロアピン２３ｄが２群用カム溝１７Ｃ２から不用意に脱落しないようになっている。フォロアピン２３ｄがカム溝１７Ｃ２から脱落しなければ、カム環１７及び直進案内環１６からの第２レンズ枠２３の脱落が防止される。第２レンズ枠２３が脱落しなければ、該第２レンズ枠２３より前方に位置して直進案内貫通溝１６を共用している第１レンズ枠２２も、カム環１７及び直進案内環１６から脱落されずに保持される。分解時には、フォロアピン２３ｄが抜止領域１７Ｃ２ｃに達したときに、弾性舌片２３ｂを若干多く弾性変形させてからフォロアピン２３ｄをフォロアピン挿脱口１７Ｃ２ｘ側に移動させればよい。つまり、カム環１７、直進案内環１６、第１レンズ枠２２、及び第２レンズ枠２３の結合体をレンズブロックと見なした場合に、抜止領域１７Ｃ２ｃを形成したことにより該レンズブロックの組立状態を維持させることができ、組立作業性が向上する。
【００５３】
以上の説明から明らかなように、本実施形態のズームレンズ鏡筒では、１群用カム溝１７Ｃ１のカム溝終端部１７Ｃ１ｃと、２群用カム溝１７Ｃ２のフォロアピン１７Ｃ２ｘを周方向の同一位置に形成し、第１レンズ枠２２のフォロアピン２２ｄがカム溝終端部１７Ｃ１ｃまで移動された状態の直進案内環１６とカム環１７の回転位相で第２レンズ枠２３を組込可能としたので、第２レンズ枠２３を組み込む際に直進案内環１６とカム環１７の相対回転位置を調整する必要がなく、組立性が良い。別言すれば、第１レンズ枠２２のフォロアピン２２ｄが１群用カム溝１７Ｃ１の終端部に達したときの、直進案内環１６とカム環１７の回転位相（フォロアピン挿脱口１７Ｃ２ｘと直進案内貫通溝１６ｃの間の可変である相対角度）が、第２レンズ枠２３において固定値として決められているフォロアピン２３ｄと角突起２３ｃの相対角度に対応しているので、第２レンズ枠２３を組み込むために直進案内環１６とカム環１７の回転位置を調整しなくて済む。１群用カム溝１７Ｃ１の形状は、光軸方向において導入部１７Ｃ１ｂ（フォロアピン挿脱口１７Ｃ１ｘ）と使用領域１７Ｃ１ａ（ズーム使用領域）とが、２群用カム溝１７Ｃ２の使用領域１７Ｃ２ａ（ズーム使用領域）を挟むように位置されているが、この２群用カム溝１７Ｃ２とは交差しないように導入部１７Ｃ１ｂを取り廻して形成しているので、以上のような組み立てが可能となっている。
【００５４】
本発明は図示実施形態に限定されるものではない。例えば、実施形態では第１レンズ枠２２と第２レンズ枠２３は、それぞれのフォロアピン２２ｄ、２３ｄが角突起２２ｃ、２３ｃと周方向の同位置に位置し、角突起２２ｃと２３ｃは互いに共通の直進案内貫通溝１６ｃによって直進案内されるものとした。該構成によれば、直進案内環１６における直進案内貫通溝１６ｃの数を少なくできるとともに、直進案内環１６において、直進案内用の溝（直進案内貫通溝１６ｃ）とは別にフォロアピン２２ｄ、２３ｄを挿通させるための貫通逃げ溝を形成する必要がないので、直進案内環１６の強度が確保でき、その製造も容易になるという利点がある。但し、第１レンズ枠２２を組み付けた状態でそのまま第２レンズ枠２３を組み付け可能にして組立性を向上させるという観点からは、第１レンズ枠２２と第２レンズ枠２３が直進案内溝を共用していなくてもよいし、あるいは各レンズ枠でのフォロアピン２２ｄ、２３ｄと直進案内突起（角突起２２ｃ、２３ｃ）とが、それぞれ周方向に位置を異ならせていてもよい。上述のように、要は、第１のレンズ枠のフォロアピンが１群用カム溝の終端部に達したときの、２群用カム溝のカムフォロア挿脱口と直進案内溝の周方向の位相が、第２のレンズ枠におけるカムフォロアと直進案内突起の相対角度に対応していればよいのである。
【００５５】
【発明の効果】
以上のように、本発明によれば、カム環へのレンズ枠の組み付けが容易なズームレンズ鏡筒を得ることができる。
【図面の簡単な説明】
【図１】本発明によるズームレンズ鏡筒の全体構造を示す分解状態の斜視図である。
【図２】同組立状態の上半断面図である。
【図３】カム環のカム溝の展開図である。
【図４】第１レンズ枠、第２レンズ枠、直進案内環及びカム環の関係を示す分解斜視図である。
【図５】直進案内環の直進案内溝部分の背面図である。
【図６】直進案内環、直進案内リング、リテーナリングの分解状態の拡大分解斜視図である。
【図７】同拡大分解展開図である。
【図８】第２カム環とバリヤ駆動環の撮影状態（テレ端位置）における位置関係を示す展開図である。
【図９】同収納状態における位置関係を示す展開図である。
【図１０】ワイド撮影状態における外観筒と第２カム環（第１レンズ群）との位置関係を示す上半断面図である。
【図１１】テレ撮影状態における外観筒と第２カム環（第１レンズ群）との位置関係を示す上半断面図である。
【図１２】テレ撮影状態における外観筒と第２カム環（第１レンズ群）との位置関係を実線で、ワイド撮影状態におけるそれを鎖線で示す上半断面図である。
【図１３】バリヤブロックを背面側からみた分解斜視図である。
【図１４】バリヤ押え板を除くバリヤブロックを組立状態で背面側からみた斜視図である。
【図１５】バリヤブロックのバリヤ開閉状態を示す正面図である。
【図１６】第２カム環の回転付与凹部とバリヤ駆動環の回転伝達突起の関係を示す分解斜視図である。
【図１７】外観筒に回転自在に支持されたバリヤ駆動環の一方の回動端（バリア閉位置）での正面図である。
【図１８】同バリヤ駆動環の他方の回動端（バリア開位置）での正面図である。
【図１９】本発明の特徴部分を説明するための、カム環のカム溝の展開図である。
【符号の説明】
Ｌ１  第１レンズ群
Ｌ２  第２レンズ群
Ｌ３  第３レンズ群
１０  ハウジング
１１  固定環
１１ａ  雄ねじ
１１ｂ  雌ヘリコイド
１１ｃ  直進案内溝
１２  基板
１２ａ  ＣＣＤ
１３  回転環
１３ａ  雌ねじ
１３ｂ  ギヤ
１３ｃ  回転伝達突起
１４  コード板
１５  ブラシ
１６  直進案内環
１６ａ  外方フランジ
１６ｂ  直進案内突起
１６ｃ  直進案内貫通溝
１６ｄ  バヨネット爪
１６ｅ  小径挿入部
１６ｆ  小径部
１６ｇ  回転規制凹部
１６ｈ  カムフォロア挿入溝
１７  カム環
１７ａ  ストッパ突起
１７ｂ  雄ヘリコイド
１７ｃ  回転伝達溝
１７ｄ  導入部
１７Ｃ１ｘ  フォロアピン挿脱口（カムフォロア挿脱口）
１７Ｃ２ｘ  フォロアピン挿脱口（カムフォロア挿脱口）
１７Ｃ１ａ  使用領域
１７Ｃ１ｂ  導入部
１７Ｃ１ｃ  カム溝終端部
１７Ｃ１ｄ  屈曲部
１７Ｃ２ａ  使用領域
１７Ｃ２ｂ  導入部
１７Ｃ２ｃ  抜止領域
１８  第２カム環
１８ａ  直進ガイド部
１８ｂ  進退ガイド溝
１８ｃ  回転付与凹部
１９  直進案内リング
１９ａ  回転規制凸部
１９ｂ  直進案内突起
２０  リテーナリング
２０ａ  固定爪
２０ｂ  カニメ溝
２１  圧縮ばね
２２  第１レンズ枠
２２ａ  筒状部
２２ｂ  弾性舌片
２２ｃ  角突起（直進案内突起）
２２ｄ  フォロアピン（カムフォロア）
２２ｆ  ねじ
２２ｇ  フランジ
２２ｈ  ウェーブワッシャ
２３  第２レンズ枠
２３ａ  環状部
２３ｂ  弾性舌片
２３ｃ  角突起（直進案内突起）
２３ｄ  フォロアピン（カムフォロア）
２３ｅ  レンズ筒
２３ｆ  固定ねじ
２３ｇ  フランジ
２４  シャッタブロック
２５  外観筒（フード筒）
２５ａ  直進ガイド溝
２５ｂ  ガイドピン
２５ｃ  ばね掛け突起
２６  バリヤ駆動環
２６ａ  回転伝達突起
２６ｂ  ばね掛け突起
２６ｃ  開閉ダボ
２６ｄ  遮光筒
２７  バリヤブロック
２７ａ  撮影開口
２７ｂ  化粧板
２７ｃ  ２７ｄ  バリヤ
２７ｅ  トーションばね
２７ｆ  バリヤ押え板
２７ｇ  共通軸
２７ｈ  開閉突起
２７ｉ  ２７ｊ  ２７ｋ  開閉突起
２８  引張ばね
２９  固定カバー筒
【図１】
0003569478.tif 000002
【図２】
0003569478.tif 000003
【図３】
0003569478.tif 000004
【図４】
0003569478.tif 000005
【図５】
0003569478.tif 000006
【図６】
0003569478.tif 000007
【図７】
0003569478.tif 000008
【図８】
0003569478.tif 000009
【図９】
0003569478.tif 000010
【図１０】
0003569478.tif 000011
【図１１】
0003569478.tif 000012
【図１２】
0003569478.tif 000013
【図１３】
0003569478.tif 000014
【図１４】
0003569478.tif 000015
【図１５】
0003569478.tif 000016
【図１６】
0003569478.tif 000017
【図１７】
0003569478.tif 000018
【図１８】
0003569478.tif 000019
【図１９】
0003569478.tif 000020